(57)【特許請求の範囲】
【請求項１】
弾性変形可能の合成樹脂を以て一体成形されてなる保持具本体を具え、該保持具本体は、胴部に、被抱持部を抱持し得るように屈曲可能の一対の線状抱持片が設けられており、該一対の線状抱持片の夫々には、その延長方向に金属線材が埋入され、各線状抱持片の屈曲形態が該金属線材の形状保持作用によって保持される如くなされており、
且つ、前記一対の線状抱持片の先端部分には、該一対の線状抱持片が前記被抱持部を抱持した状態で互いに係合して該先端部分相互の外れを防止する外れ止め突部が設けられており、
前記一対の線状抱持片の夫々に埋入されている前記金属線材の先端側の部分は、前記外れ止め突部において埋入状態とされており、該先端側の部分は、前記線状抱持片の前記延長方向に対して屈曲する係合屈曲部とされていることを特徴とする保持具。
【請求項２】
１本の直線状の金属線材の中央部分が前記胴部を左右方向に貫通した状態とされ、該金属線材の中央部分からみて左右方向へ延びる両側部分が、前記一対の線状抱持片の夫々にその延長方向に埋入状態とされていることを特徴とする請求項１記載の保持具。
【請求項３】
弾性変形可能の合成樹脂を以て一体成形されてなる保持具本体を具え、
該保持具本体は、胴部の上端に首部を介して頭部を設けてなり、
又該胴部の上部に、左右方向逆向きに突出する一対の腕部としての一対の線状抱持片が設けられる一方、該胴部の下部に、左右方向逆向きに突出する一対の脚部としての一対の線状抱持片が設けられ、該一対の腕部と該一対の脚部は、夫々、被抱持部を抱持し得るように屈曲可能であり、
前記一対の腕部の夫々及び前記一対の脚部の夫々には、その延長方向に金属線材が埋入されており、各腕部と各脚部の屈曲形態が該金属線材の形状保持作用によって保持される如くなされており、
且つ、前記一対の腕部の先端部分には、該一対の腕部が前記被抱持部を抱持した状態で互いに係合して該一対の腕部の先端部分相互の外れを防止する外れ止め突部が設けられると共に、前記一対の脚部の先端部分には、該一対の脚部が前記被抱持部を抱持した状態で互いに係合して該一対の脚部の先端部分相互の外れを防止する外れ止め突部が設けられており、
前記首部と、前記胴部のうちの少なくとも前記上部と前記下部との間の中間部分は、金属線材が埋入されておらず前記合成樹脂のみを以て形成されており、
前記一対の腕部が前記被抱持部を抱持した状態で、前記頭部が、前記首部を弾性変形させて前記被抱持部に当接状態となり得ることを特徴とする人型保持具。
【請求項４】
１本の直線状の金属線材の中央部分が前記胴部の上部を左右方向に貫通した状態とされ、該金属線材の中央部分からみて左右方向へ延びる両側部分が、前記一対の腕部の夫々にその延長方向に埋入状態とされると共に、１本の直線状の金属線材の中央部分が前記胴部の下部を左右方向に貫通した状態とされ、該金属線材の中央部分からみて左右方向へ延びる両側部分が、前記一対の脚部にその延長方向に埋入状態とされていることを特徴とする請求項３記載の人型保持具。
【請求項５】
前記一対の腕部としての前記一対の線状抱持片の夫々に埋入されている前記金属線材の先端側の部分及び、前記一対の脚部としての前記一対の線状抱持片の夫々に埋入されている前記金属線材の先端側の部分は、共に、前記外れ止め突部において埋入状態とされており、該先端側の部分は、前記線状抱持片の前記延長方向に対して屈曲する係合屈曲部とされていることを特徴とする請求項３又は４記載の人型保持具。
【発明の詳細な説明】
【技術分野】
【０００１】
本発明は、例えば、生育している植物を倒れないように保持したり、キッチンまわり等において物をハンガー等に保持させるために用いて好適な保持具及び人型保持具に関するものである。
【背景技術】
【０００２】
生育している植物を倒れないように支柱に保持させるために用いることができる保持具の一例として特許文献１が開示するものが提案されている。
【０００３】
該保持具ａは例えば図３０に示すように、土壌に突き刺された支柱ｂに植物ｃを保持させるために、該植物ｃの茎ｄと該支柱ｂとをまとめて抱持し得る一対の線状抱持片ｅ，ｅを複数対具えている。該保持具ａは、全体が弾性変形可能の素材を以て一体成形され、胴部ｆの上部ｇと下部ｈの夫々で、左右方向に逆向きに突出する線状抱持片ｅ，ｅ、ｅ，ｅが設けられており、該上部ｇに設けられている左右の線状抱持片ｅ，ｅも該下部ｈに設けられている左右の線状抱持片ｅ，ｅも、共に屈曲可能であった。図３０（Ａ）は、かかる構成の保持具ａを植物ｃの保持に用いた場合の一例を示すものであり、植物ｃの茎ｄを支柱ｂに沿わせた状態で、該植物の上側部位ｊを上の左右の線状抱持片ｅ１，ｅ２で抱持し、且つ、その先側部分ｋ，ｋを捩じる一方、その下側部位ｍを下の左右の線状抱持片ｅ３，ｅ４で抱持し且つその先側部分ｎ，ｎを捩じり、これによって茎ｄを支柱ｂに保持させている。
【０００４】
しかしながら、このように左右の線状抱持片ｅ，ｅ、ｅ，ｅの先側部分ｋ，ｋ、ｎ，ｎを緩く捩じっただけでは、該先側部分ｋ，ｋ、ｎ，ｎが緩んで外れる恐れがあり、支柱ｂに対する茎ｄの保持が不安定化し易い問題があった。そのために該先側部分ｋ，ｋ、ｎ，ｎを強く複数回捩じったときは、該先側部分ｋ，ｋ、ｎ，ｎが外れる恐れはないとしても、左右の線状抱持片ｅ，ｅ、ｅ，ｅが茎ｄの成長を阻害して茎ｄが損傷される恐れがあった。
【先行技術文献】
【特許文献】
【０００５】
【特許文献１】米国特許第６２３７７５９号
【発明の概要】
【発明が解決しようとする課題】
【０００６】
本発明は、例えば前記従来の問題点に鑑みて開発されたものであり、例えば、植物を損傷することなくこれをソフトに保持でき且つ該植物を作業性よく確実に支柱やネット等に保持させることができる等、物の保持をソフトにしかも簡易且つ確実に行うことのできる保持具、人型保持具の提供を課題とするものである。
【課題を解決するための手段】
【０００７】
前記課題を解決するため、本発明は以下の手段を採用する。
即ち本発明に係る保持具は、弾性変形可能の合成樹脂を以て一体成形されてなる保持具本体を具え、該保持具本体は、胴部に、被抱持部を抱持し得るように屈曲可能の一対の線状抱持片が設けられており、該一対の線状抱持片の夫々には、その延長方向に金属線材が埋入され、各線状抱持片の屈曲形態が該金属線材の形状保持作用によって保持される如くなされており、且つ、前記一対の線状抱持片の先端部分には、該一対の線状抱持片が前記被抱持部を抱持した状態で互いに係合して該先端部分相互の外れを防止する外れ止め突部が設けられており、前記一対の線状抱持片の夫々に埋入されている前記金属線材の先端側の部分は、前記外れ止め突部において埋入状態とされており、該先端側の部分は、前記線状抱持片の前記延長方向に対して屈曲する係合屈曲部とされていることを特徴とするものである。
【０００８】
該保持具において、１本の直線状の金属線材の中央部分が前記胴部を左右方向に貫通した状態とし、該金属線材の中央部分からみて左右方向へ延びる両側部分が、前記一対の線状抱持片の夫々にその延長方向に埋入状態とするのがよい。
【０００９】
本発明に係る人型保持具は、弾性変形可能の合成樹脂を以て一体成形されてなる保持具本体を具え、該保持具本体は、胴部の上端に首部を介して頭部を設けてなり、又該胴部の上部に、左右方向逆向きに突出する一対の腕部としての一対の線状抱持片が設けられる一方、該胴部の下部に、左右方向逆向きに突出する一対の脚部としての一対の線状抱持片が設けられ、該一対の腕部と該一対の脚部は、夫々、被抱持部を抱持し得るように屈曲可能である。そして、前記一対の腕部の夫々及び前記一対の脚部の夫々には、その延長方向に金属線材が埋入されており、各腕部と各脚部の屈曲形態が該金属線材の形状保持作用によって保持される如くなされている。且つ、前記一対の腕部の先端部分には、該一対の腕部が前記被抱持部を抱持した状態で互いに係合して該一対の腕部の先端部分相互の外れを防止する外れ止め突部が設けられると共に、前記一対の脚部の先端部分には、該一対の脚部が前記被抱持部を抱持した状態で互いに係合して該一対の脚部の先端部分相互の外れを防止する外れ止め突部が設けられている。そして、前記首部と、前記胴部のうちの少なくとも前記上部と前記下部との間の中間部分は、金属線材が埋入されておらず前記合成樹脂のみを以て形成されており、前記一対の腕部が前記被抱持部を抱持した状態で、前記頭部が、前記首部を弾性変形させて前記被抱持部に当接状態となり得ることを特徴とするものである。
【００１０】
該人型保持具において、１本の直線状の金属線材の中央部分が前記胴部の上部を左右方向に貫通した状態とし、該金属線材の中央部分からみて左右方向へ延びる両側部分が、前記一対の腕部の夫々にその延長方向に埋入状態とすると共に、１本の直線状の金属線材の中央部分が前記胴部の下部を左右方向に貫通した状態とし、該金属線材の中央部分からみて左右方向へ延びる両側部分が、前記一対の脚部にその延長方向に埋入状態とするのがよい。
【００１１】
前記人型保持具において、前記一対の腕部としての前記一対の線状抱持片の夫々に埋入されている前記金属線材の先端側の部分及び、前記一対の脚部としての前記一対の線状抱持片の夫々に埋入されている前記金属線材の先端側の部分を、前記外れ止め突部において埋入状態とし、該先端側の部分は、前記線状抱持片の前記延長方向に対して屈曲する係合屈曲部とするのがよい。
【発明の効果】
【００１２】
本発明は以下の如き優れた効果を奏する。
(1) 本発明は、弾性変形可能の合成樹脂を以て一体成形されてなる保持具本体を具え、該保持具本体は、胴部に、被抱持部を抱持し得るように屈曲可能の一対の線状抱持片が設けられており、該一対の線状抱持片の夫々には、その延長方向に金属線材が埋入され、各線状抱持片の屈曲形態が該金属線材の形状保持作用によって保持される如くなされ、且つ、前記一対の線状抱持片（人型保持具の場合は、前記一対の腕部と前記一対の脚部）の先端部分には、該一対の線状抱持片が前記被抱持部を抱持した状態で互いに係合して該先端部分相互の外れを防止する外れ止め突部が設けられている。
【００１３】
従って本発明によるときは、前記一対の線状抱持片（人型保持具の場合は前記一対の腕部と前記一対の脚部）の先側部分が交差され、或いは必要に応じて緩く捩られることにより、前記左右の外れ止め突部が互いに係合して該先端部分相互の外れが防止される。これによって、物の保持をソフトにしかも簡易且つ確実に行うことができる。
【００１４】
(2) 特に、１本の直線状の金属線材の中央部分が前記胴部を左右方向に貫通した状態とし、該金属線材の両側部分を、前記一対の線状抱持片にその延長方向に埋入状態としたときは、夫々の線状抱持片（前記人型保持具の場合は腕部や脚部）を、前記胴部に対する付け根部分において安定的に屈曲させることができる。これによって、保持具の屈曲形態を安定的に持続させることができる。
【００１５】
(3) 本発明に係る保持具を人型に構成した場合は、例えば、該人型保持具が植物の茎を保持したり、キッチンまわり等で洗浄スポンジやブラシ等の物をハンガー等に保持させたとき、該人型保持具のとるポーズによって装飾的な効果を付与できる。
【００１６】
特に該人型保持具を植物の保持に用いる場合において、該人型保持具を構成する保持具本体を、弾性変形可能の合成樹脂を以て一体成形したものとし、その胴部の上部に、左右方向逆向きに突出する腕部としての一対の線状抱持片を設ける一方、該胴部の下部に、左右方向逆向きに突出する脚部としての一対の線状抱持片を設け、該一対の腕部の夫々及び該一対の脚部の夫々に、その延長方向に金属線材を埋入する一方、前記首部と、前記胴部のうちの少なくとも前記上部と前記下部との間の中間部分は、金属線材を埋入せず前記合成樹脂のみを以て構成する場合は、該首部と該中間部分が、前記合成樹脂の有する弾性変形可能の性質によって、ある程度自由に弾性変形でき且つ弾性復元できる。
【００１７】
このように構成したときは、前記一対の腕部が被抱持部（植物の茎やこれを保持する支柱等）を抱持した状態で、前記首部は、前記合成樹脂の有する弾性変形可能の性質によって、ある程度自由に弾性変形でき且つ弾性復元できる。その結果、本発明によるときは、前記一対の腕部が前記被抱持部を安定抱持するように前記頭部が前記被抱持部に当接した状態にあっても、該頭部が、前記首部の弾性変形によって外向きに屈曲できるため、茎の成長を阻害しにくい。
【００１８】
又、かかる人型保持具によるときは、前記一対の腕部と前記一対の脚部との間の距離を確保できるので、支柱やネット等としての植物を保持する被抱持部から稍離れた状態にある茎であっても、それを該支柱等に確実に保持させることができる。これによって、茎を無理やり支柱側に引き寄せた状態で茎を保持させる不自然さがなく、植物を自然な状態で安定的に保持できる。
【００１９】
のみならず、風が吹いて植物がばたついたとしても前記胴部の中間部分には背骨となる金属線材が何も埋入されていないため、該胴部の弾性変形作用によって該胴部が茎の動きにある程度自由に追随できる。従って、茎の損傷を極力防止でき、風が収まれば、該胴部の弾性復元によって茎は当初の状態に戻りやすい。もしも胴部に金属線材が埋入されていると、該胴部が屈曲しにくいために、茎が風に吹かれた場合にその揺れが制約され、茎を損傷する恐れがある。
【００２０】
(4) 前記一対の線状抱持片の夫々に埋入されている前記金属線材の先端側の部分を前記外れ止め突部において埋入状態とし、該先端側の部分を、前記線状抱持片の前記延長方向に対して屈曲する係合屈曲部とする場合は、前記腕部や前記脚部等としての一対の線状抱持片の前記先側部分を捩ることによって前記両外れ止め突部を互いに係合させるために該外れ止め突部をその基部の周方向に捩る際、該外れ止め突部を該基部で空回りを生じさせることなく、前記金属線材を芯線として確実に捩ることができ、所要角度の捩れに伴う前記外れ止め突部相互の係合状態を安定的に持続させることができる。
【図面の簡単な説明】
【００２１】
【図１】本発明に係る人型保持具（保持具の一種）を示す斜視図である。
【図２】その正面図である。
【図３】その断面図である。
【図４】人型保持具が、植物の茎と支柱とからなる被抱持部を抱持した状態を示す側面図と平面図である。
【図５】茎が太く成長した状態におけるその抱持状態を示す側面図と平面図である。
【図６】人型保持具の腕部と脚部における金属線材の埋入状態を示す断面図である。
【図７】人型保持具の中央縦断面図と頭部の横断面図である。
【図８】人型保持具を用いて植物の茎を支柱に保持させた状態の一例を示す斜視図である。
【図９】人型保持具を用いて植物の茎を支柱に保持させた状態の他の例を示す斜視図である。
【図１０】人型保持具を用いて植物の茎を支柱に保持させた状態のその他の例を示す斜視図である。
【図１１】人型保持具の他の態様を示す正面図である。
【図１２】その人型保持具を用いて植物の茎を支柱に保持させた状態の一例を示す斜視図である。
【図１３】植物保持具のその他の態様を示す正面図である。
【図１４】その植物保持具を用いて植物の茎を支柱に保持させた状態を示す斜視図である。
【図１５】保持具のその他の態様を示す正面図である。
【図１６】その保持具を用いて植物の茎を支柱に保持させた状態を示す斜視図である。
【図１７】保持具のその他の態様を示す斜視図とその平面図である。
【図１８】人型保持具を用いて植物の茎をネットに保持させた場合の一例を示す斜視図である。
【図１９】人型保持具における左右の腕部と左右の脚部における金属線材の埋入状態の他の例を示す断面図である。
【図２０】人型保持具における左右の腕部と左右の脚部における金属線材の埋入状態の他の例を示す断面図である。
【図２１】人型保持具の使用状態を示す斜視図である。
【図２２】人型保持具のその他の使用状態を示す斜視図である。
【図２３】人型保持具のその他の使用状態を示す斜視図である。
【図２４】人型保持具における左右の腕部と左右の脚部における金属線材の埋入状態の他の例を示す断面図である。
【図２５】保持具のその他の態様を示す正面図である。
【図２６】金属線材の埋入状態の他の態様を示す断面図である。
【図２７】金属線材の埋入状態のその他の態様を示す断面図である。
【図２８】金属線材の埋入状態のその他の態様を示す断面図である。
【図２９】金属線材の埋入状態のその他の態様を示す断面図である。
【図３０】従来の植物を保持する保持具の一例を示す正面図とその使用状態を示す側面図である。
【発明を実施するための形態】
【実施例１】
【００２２】
図１〜３において本発明に係る保持具１は、弾性変形可能の合成樹脂を以て一体成形されてなる保持具本体２を具え、該保持具本体２は、胴部３に、被抱持部５を抱持し得るように屈曲可能（例えば図８〜１０）の一対の線状抱持片６，６が設けられ、該一対の線状抱持片６，６の夫々には、図３に示すように、その延長方向に金属線材７が埋入されており、各線状抱持片６の屈曲形態が該金属線材７の形状保持作用によって保持される如くなされている。本発明において抱持とは、抱きしめることを意味することの他、緩く抱え込むことも意味する。そして該一対の線状抱持片６，６の先端部分９，９には、該一対の線状抱持片６，６が前記被抱持部５を抱持した状態で互いに係合して該一対の線状抱持片の先端部分９，９相互の外れを防止する外れ止め突部１０，１０が設けられている。以下、これをより具体的に説明する。
【００２３】
本実施例においては、図１〜３に示すように、前記保持具本体２の全体形態が人の形態を模した人型に形成されており、該保持具本体２は、胴部３の上端４に、首部１２を介して頭部１３が設けられてなり、該胴部３の上部１５に、左右方向逆向きに直線状に突出する腕部１６，１６としての第１の一対の線状抱持片６ａ，６ａを具える一方、該胴部３の下部１７に、左右方向逆向きに直線状に突出する脚部１９，１９としての第２の一対の線状抱持片６ｂ，６ｂが設けられている。前記一対の腕部１６，１６の夫々及び前記一対の脚部１９，１９の夫々には、図３に示すように、その延長方向に金属線材７が埋入されており、各腕部１６，１６と各脚部１９，１９の屈曲形態が該金属線材７の形状保持作用によって保持される如くなされている。
【００２４】
そして、前記左右の腕部１６，１６の先端部分９（９ａ），９（９ａ）には、該左右の腕部１６，１６が前記被抱持部５を抱持した状態で互いに係合して該左右の先端部分９ａ，９ａ相互の外れを防止する外れ止め突部１０ａ，１０ａが設けられている（即ち、該先端部分９ａ，９ａが該外れ止め突部１０ａ，１０ａとされている）。又、前記左右の脚部１９，１９の先端部分９（９ｂ），９（９ｂ）には、該左右の脚部１９，１９が前記被抱持部５を抱持した状態で互いに係合して該左右の脚部１９，１９の先端部分９ｂ，９ｂ相互の外れを防止する外れ止め突部１０ｂ，１０ｂが設けられている（即ち、該先端部分９ｂ，９ｂが該外れ止め突部１０ｂ，１０ｂとされている）。
【００２５】
特に本実施例においては、前記首部１２と、前記胴部３の内の少なくとも前記上部１５と前記下部１７との間の中間部分２０には、金属線材７が埋入されておらず、前記合成樹脂のみを以て形成されており、前記一対の腕部１６，１６が前記被抱持部５を抱持した状態で、前記頭部１３が、例えば図４（Ａ），図５（Ａ）に示すように、前記首部１２を弾性変形させて該被抱持部５に当接状態となり得る。前記頭部１３を前記被抱持部５に当接状態とすることにより、前記一対の腕部１６，１６による前記被抱持部５の抱持状態が安定する。
【００２６】
前記胴部３と前記首部１２と前記頭部１３は軸線が同一であり、該胴部３は、前記上部１５から前記下部１７に向けて拡径する円錐台状に形成され、その底面部２１は、図１（Ａ）に示すように湾曲面状を呈している。又前記首部１２は円柱状を呈しており、又、前記頭部１３は、図６〜７に示すように、正面側２２と背面側２３が球面状に稍盛り上がった膨出部２５，２５とされてなる碁石状を呈しており、その下部中央部が前記首部１２に連結されている。そして、後述のように（例えば図８〜１０）前記一対の腕部１６，１６が前記正面側２２で被抱持部５を抱持する際に、該正面側２２の膨出部２５が支柱２７や植物の茎２９に当接状態となる。又、前記一対の腕部１６，１６が前記背面側２３で被抱持部５を抱持する際に、該背面側の膨出部２５が支柱２７や植物の茎２９に当接状態となる。
【００２７】
前記左右の腕部１６，１６は、図１〜３に示すように、前記胴部３の上部１５の左右部位において左右方向逆向きに線状に突出しており、横断面円形状を呈し先側に向けて若干細く形成されている。そして各腕部１６，１６の先端部分９ａ，９ａには、上下に稍長く形成され且つ上下端が円弧面３０，３０に形成された握り拳状の前記外れ止め突部１０ａ，１０ａが設けられている。又、前記左右の脚部１９，１９は前記胴部３の下部１７の左右部位に、左右方向逆向きに直線状に突出しており、横断面円形状を呈し先側に向けて若干細く形成されている。そして各脚部１９の先端部分９ｂ，９ｂには、上部分３１が前記胴部３に向けて屈曲した靴状を呈する外れ止め突部１０ｂ，１０ｂが設けられている。
【００２８】
又、図３、図６〜７に示すように左右方向に延長する１本の直線状の金属線材（例えば０．８〜１．５ｍｍ径の鉄線やステンレス線材、アルミニウム線材等の金属線材、本実施例においては１．２ｍｍ径の鉄線）７ａを用いて、その中央部分３２が前記胴部３の上部１５を左右方向に貫通した状態とし、前記左右一対の腕部１６，１６の夫々に、その延長方向に且つ該腕部１６，１６の軸線に沿って延長する如く、該金属線材７ａの両側部分５１，５１を埋入された状態としている。該金属線材７ａの両端部３３，３３は前記左右の外れ止め突部１０ａ，１０ａの先端３５，３５と合致させてもよいのであるが、本実施例においては該端部３３，３３で怪我をしないように該先端３５，３５の内方に２〜３ｍｍ程度控えた状態としている。
【００２９】
又、左右方向に延長する別の１本の金属線材（例えば０．８〜１．５ｍｍ径の鉄線やステンレス線材、アルミニウム線材等の金属線材、本実施例においては１．２ｍｍ径の鉄線）７ｂを用いて、その中央部分３６が前記胴部３の下部１７を左右方向に貫通した状態とし、前記左右一対の脚部１９，１９の夫々に、その延長方向に且つ該脚部１９，１９の軸線に沿って延長する如く、該金属線材７ｂの両側部分５１，５１を埋入状態としている。該金属線材７ｂの両端部３７，３７は前記左右の外れ止め突部１０ｂ，１０ｂの先端３９，３９と合致させてもよいのであるが、本実施例においては該端部３７，３７で怪我をしないように該先端３９，３９の内方に２〜３ｍｍ程度控えた状態としている。
【００３０】
このように１本の金属線材７ａ，７ｂを用いて、一対の腕部１６，１６と一対の脚部１９，１９に金属線材７を埋入状態としていることから、夫々の腕部１６，１６、夫々の脚部１９，１９を、前記胴部３に対する付け根部分４０，４０、４０，４０（図３）においても安定的に屈曲させることができる。
【００３１】
そして、本実施例において前記金属線材７ａ，７ｂは、前記胴部３についてはその上部１５と下部１７においてのみ、これらを左右方向に貫通する如く埋入されているだけであって、該上部１５と該下部１７との間の前記中間部分２０には金属線材７が埋入されていない。
【００３２】
かかる構成を有する人型保持具１ａは、前記一対の腕部１６，１６と前記一対の脚部１９，１９が夫々、各種形態に屈曲でき、その屈曲形態が前記金属線材７の形状保持作用によって保持される。そして前記首部１２と、前記胴部３のうちの前記中間部分２０には金属線材７が埋入されていないため、該首部１２と、該胴部３の該中間部分２０は、前記合成樹脂の有する弾性変形可能の性質によって、ある程度自由に弾性変形でき且つ弾性復元できる。
【００３３】
ここで、前記構成を有する人型保持具１ａの主要部の寸法を例示すれば、その上下方向の長さは６０ｍｍ程度に設定されると共にその胴部３の上下長さは３７ｍｍ程度に、その首部１２の上下長さは４ｍｍ程度に、その頭部１３の上下長さは２２ｍｍ程度に設定されている。又、前記上部１５の左右幅は１０ｍｍ程度に、前記下部１７の左右幅は１２ｍｍ程度に設定されている。又、前記左右の腕部１６，１６の夫々の突出長さは４６ｍｍ程度に設定され、前記左右の脚部１９の突出長さは４５ｍｍ程度に設定されている。
【００３４】
図８〜１０、図４〜５は、前記構成を有する人型保持具１ａを用いて、土壌に立設した支柱２７に植物の茎２９を保持させた状態の一例を示すものであり、前記一対の腕部１６，１６と前記一対の脚部１９，１９は適宜屈曲されて前記被抱持部（支柱２７及び／又は茎２９）５のまわりに巻かれ、左右の腕部１６，１６の先側部分４１，４１が交差され、或いは必要に応じて所要に捩られることにより、前記左右の外れ止め突部１０ａ，１０ａが互いに係合して両腕部１６，１６の該先端部分９ａ，９ａ相互の外れが防止される。又、前記左右の脚部１９，１９が前記被抱持部（支柱２７及び／又は茎２９）５を抱持した状態で該脚部の先側部分が相互が交差され、或いは捩じられることにより前記左右の外れ止め突部１０ｂ，１０ｂが互いに係合して両脚部１９，１９の先端部分９ｂ，９ｂ相互の外れが防止される。そして、該人型保持具１ａがとるポ−ズによって植物の保持状態に装飾的な効果を付与できる。なお本発明においては、前記両腕部１６，１６が前記支柱２７や茎２９のまわりに巻かれることを支柱２７や茎２９を抱持するといい、又、前記両脚部１９，１９がこれらのまわりに巻かれることも抱持するという。
【００３５】
図８、図４〜５は、植物の茎２９を支柱２７に略沿わせた状態で、人型保持具１ａが前記被抱持部５に抱き付いたポ−ズを示すものであり、前記頭部１３の前記膨出部２５を前記被抱持部（本態様においては茎２９及び支柱２７）５に当接させた状態で前記左右の腕部１６，１６が、該支柱２７と該茎２９の双方からなる該被抱持部５を抱持した状態にある。そしてこの状態で、該両腕部１６，１６の先側部分４１，４１を捩ることによって前記両外れ止め突部１０ａ，１０ａが互いに係合され、該両腕部１６，１６の先端部分９ａ，９ａ相互の外れが防止されている。この抱持状態で、図４（Ａ）に示すように、前記頭部１３の前記膨出部２５が前記被抱持部５に当接した状態にあるため、前記左右の腕部１６，１６の先側部分４１，４１を捩ることによって形成されたループ部４２に、前記茎２９が緩く挿通されている。又この状態で、前記左右の脚部１９，１９が、該支柱２７と  該茎２９の双方からなる該被抱持部５を緩く抱持している。そしてこの状態で、該両脚部１９，１９の先側部分４１，４１を捩ることによって前記両外れ止め突部１０ａ，１０ａが互いに係合され、該両脚部１９，１９の先端部分９ａ，９ａ相互の外れが防止されている。
【００３６】
前記抱持状態では、前記左右の腕部１６，１６が、該支柱２７と該茎２９の双方からなる該被抱持部５を緩く抱え込んだ状態にはあるが、前記頭部１３の前記膨出部２５が前記被抱持部５に当接した状態で前記左右の腕部１６，１６による抱持が行なわれているため、人型保持具１ａによって、植物の茎２９が支柱２７に、がたつきを生じさせることなく安定的に保持されている（図４）。そして、この状態で茎２９が太く成長したときは、前記頭部１３が、前記首部１２の外向きの弾性変形によって例えば図４（Ａ）に示す状態から図５（Ａ）に示す状態に外向きに傾くことができる。これによって、該頭部１３が前記被抱持部５に当接状態にはあっても該頭部１３が無理なく外向きに弾性変形できるため、茎２９の成長を阻害しにくい。
【００３７】
図９、図１０は、植物の茎２９が支柱２７から稍離れている状態で、前記人型保持具１ａを用いて該茎２９を該支柱２７に保持させた態様を示すものである。本実施例に係る人型保持具１ａは上下に長い胴部３を具えて、前記一対の腕部１６，１６と前記一対の脚部１９，１９との間の距離が確保されているため、支柱２７から稍離れた状態にある茎２９を該支柱２７に無理なく保持させることができるのである。これによって、茎２９を無理やり支柱２７側に引き寄せた状態で茎２９を保持させる不自然さがなく、植物を自然な状態で保持できる。
【００３８】
図９にあっては、前記頭部１３が前記支柱２７に当接した状態で、前記と同様にして左右の腕部１６，１６が該支柱２７を抱持し、且つ、該両腕部１６，１６の先側部分４１，４１が捩られることにより、両外れ止め突部１０ａ，１０ａが互いに係合して、該先側部分４１，４１相互の外れが防止されている。前記頭部１３の前記膨出部２５が前記被抱持部５（支柱２７）に当接した状態で前記左右の腕部１６，１６による抱持が行なわれているため、人型保持具１ａの上部分４３が支柱２７に確実に保持されている。そしてこの状態で、前記左右の脚部１９，１９が茎２９を緩く抱持し、且つ、該両脚部１９，１９の先側部分４６，４６が捩られることによって、両外れ止め突部１０ｂ，１０ｂが互いに係合して、該先端部分９ｂ，９ｂ相互の外れが防止されている。これらの抱持状態によって人型保持具１ａは、茎２９を保持した状態で支柱２７をキャッチしたようなポ−ズをとっている。この状態で茎２９が太く成長したときは、該茎２９が、左右の脚部１９，１９が形成するル−プ部４４内に遊びのある状態で収容され且つ両脚部１９，１９の先側部分４６，４６の内側で支持されるため、該茎２９の成長が阻害されることがない。
【００３９】
図１０にあっては、前記頭部１３の前記膨出部２５を茎２９の表面に当接させた状態で前記左右の腕部１６，１６で該茎２９を抱持状態とし、該両腕部１６，１６の先側部分４１，４１を捩ることによって前記外れ止め突部１０ａ，１０ａを係合させ、これによって該腕部１６，１６の先端部分９ａ，９ａ相互の外れを防止する一方、前記両脚部１９，１９が前記支柱２７を抱持した状態とすると共にその先側部分４６，４６を捩り、両外れ止め突部１０ｂ，１０ｂを互いに係合させることによって該両脚部１９，１９の先端部分９ｂ，９ｂの外れを防止している。
【００４０】
この抱持状態においては、図１０に示すように、前記頭部１３の前記膨出部２５が前記被抱持部５に当接した状態にあるため、前記左右の腕部１６，１６の先側部分４１，４１を捩ることによって形成されたループ部４２には、前記茎２９が緩く挿通されている。そして該抱持状態は、前記左右の脚部１９，１９が、該支柱２７からなる被抱持部５を抱持し、且つ、両脚部１９，１９の先側部分４６，４６が捩られることにより、両外れ止め突部１０ｂ，１０ｂが互いに係合して、該先側部分４６，４６相互の外れが防止されている。従って、人型保持具１ａの上部分４３が支柱２７に確実に保持されている。この状態で茎２９が太く成長したときは、前記首部１２が、図５（Ａ）に示すと同様に外向きに適度に弾性変形できるため、茎２９の成長が阻害されない。これらの抱持状態によって人型保持具１ａは、逆様の状態で茎をキャッチしたポ−ズをとっている。
【００４１】
茎２９が支柱２７から離れた状態で該茎２９が支柱２７に保持されている図９、図１０に示す態様において、風が吹いて植物がばたついたとしても前記胴部３の前記中間部分２０には背骨となる金属線材７が何も埋入されていないため、該胴部３が良好に弾性変形可能であって該胴部３が茎２９の動きにある程度自由に追随できる。従って、茎２９の損傷を極力防止できる。そして風が収まれば、該胴部３の弾性復元によって茎２９は当初の状態に戻り易い。
【実施例２】
【００４２】
図１１〜１２、図１３〜１４、図１５〜１６、図１７は、本発明に係る保持具１の他の態様を示すものであり、図１１に示す保持具１は、前記と同様にして、弾性変形可能の合成樹脂を以て一体成形されてなる保持具本体２を具え、前記胴部３の上端５９と下端６０に、夫々、首部１２ａ，１２ｂを介して頭部１３ａ，１３ｂが設けられている。そしてこの場合も前記と同様にして、該胴部３の上部１５に、左右方向逆向きに突出する第１の一対の線状抱持片６（６ａ），６（６ａ）を具える一方、該胴部３の下部１７に、左右方向逆向きに突出する第２の一対の線状抱持片６（６ｂ），６（６ｂ）が設けられている。
【００４３】
そして、夫々の線状抱持片６ａ，６ａ、６ｂ，６ｂには、その延長方向に金属線材７が埋入されており、各線状抱持片６ａ，６ａ、６ｂ，６ｂの屈曲形態が該金属線材７の形状保持作用によって保持される如くなされている。本実施例においては前記実施例１におけると同様、１本の直線状の金属線材７ａの中央部分３２が前記胴部３の上部１５を左右方向に貫通した状態とし、該金属線材７ａの両側部分５１，５１を、前記第１の一対の線状抱持片６ａ，６ａにその延長方向に埋入させると共に、別の１本の直線状の金属線材７ｂの中央部分３２が前記胴部３の下部１７を左右方向に貫通した状態とし、該金属線材７ｂの両側部分５１，５１を、前記第２の一対の線状抱持片６ｂ，６ｂにその延長方向に埋入させてなる。
【００４４】
且つ、前記第１の一対の線状抱持片６ａ，６ａの先端部分９ａ，９ａには、該一対の線状抱持片６ａ，６ａが前記被抱持部５を抱持した状態で互いに係合して該左右の先端部分９ａ，９ａ相互の外れを防止する外れ止め突部１０ａ，１０ａが設けられると共に、前記第２の一対の線状抱持片６ｂ，６ｂの先端部分９ｂ，９ｂには、該一対の線状抱持片６ｂ，６ｂが前記被抱持部５を抱持した状態で互いに係合して該左右の先端部分９ｂ，９ｂ相互の外れを防止する外れ止め突部１０ｂ，１０ｂが設けられている。
【００４５】
そして本実施例においては、前記首部１２ａ，１２ｂと、前記胴部３の内の、少なくとも前記上部１５と前記下部１７との間の中間部分２０には、金属線材７が埋入されておらず、前記合成樹脂のみを以て形成されており、前記第１、第２の一対の線状抱持片６ａ，６ａ、６ｂ，６ｂが前記被抱持部５（支柱２７及び／又は茎２９）を抱持した状態で、前記頭部１３ａ，１３ｂの夫々が、前記首部１２ａ，１２ｂを弾性変形させて該被抱持部５に当接状態となり得る。
【００４６】
図１２は、かかる保持具１の使用状態の一例を示すものであり、前記一方の頭部１３ａが、前記首部１２ａを外向きに弾性変形させて前記支柱２７に当接した状態にあり、他方の頭部１３ｂが、前記首部１２ｂを外向きに弾性変形させて植物の茎２９に当接した状態にある。この状態で、前記第１の一対の線状抱持片６ａ，６ａが前記被抱持部（支柱２７）５を抱持した状態で該一対の線状抱持片６ａ，６ａの先側部分３４，３４が交差され、或いは必要に応じて所要に捩られることにより、前記左右の外れ止め突部１０ａ，１０ａが互いに係合して前記両線状抱持片６ａ，６ａの先端部分９ａ，９ａ相互の外れが防止されている。又、前記第２の一対の線状抱持片６ｂ，６ｂが前記被抱持部（茎２９）５を抱持した状態で該一対の線状抱持片６ｂ，６ｂの先側部分３８，３８が交差され、或いは捩られることにより前記左右の外れ止め突部１０ｂ，１０ｂが互いに係合して両線状抱持片６ｂ，６ｂの先端部分９ｂ，９ｂ相互の外れが防止されている。
【００４７】
そしてこの状態で、前記首部１２ａ，１２ｂが外向きに弾性変形して前記頭部１３ａ，１３ｂが外向きに傾くことができるため、該頭部１３ａ，１３ｂが茎２９の成長に追随でき、従って茎２９の成長を阻害しにくい。そして本実施例においては、前記首部１２ａ，１２ｂと前記胴部３の前記中間部分２０には金属線材７が埋入されておらず、これらは、前記弾性変形可能の合成樹脂のみを以て形成されている。従って、前記したと同様に、風が吹いて植物がばたついたとしても、該胴部３が茎２９の動きにある程度自由に追随できるので、茎２９の損傷を極力防止できる。そして風が収まれば、該胴部３の弾性復元によって茎２９は当初の状態に戻り易い。
【００４８】
図１３に示す保持具１は、これを構成する保持具本体２が、図１〜２に示す人型保持具１ａにおける場合と相違する。即ち、該人型保持具１ａにおける前記第１の一対の線状抱持片６ａ，６ａは設けられているが、前記第２の一対の線状抱持片６ｂ，６ｂは省略された構成を有している。該一対の線状抱持片６ａ，６ａの先端部分９ａ，９ａには、前記と同様に外れ止め突部１０ａ，１０ａが設けられている。そして該保持具本体２は、図１４に示すように、その頭部１３が、その首部１２を弾性変形させて前記被抱持部５に当接状態となり得るように構成されている。そして図１３に示すように、該首部１２と、該胴部３のうちの、一対の線状抱持片６ａ，６ａが設けられてなる上部１５の下側部分５０には金属線材７が埋入されておらず、前記合成樹脂のみを以て形成されている。この場合も、該首部１２が外向きに弾性変形して前記頭部１３が外向きに傾くことができるため該頭部１３が茎２９の成長に追随でき、従って茎２９の成長を阻害しにくい。
【００４９】
図１５に係る保持具１を構成する保持具本体２は、前記胴部３に、正面視でＸ字状に線状抱持片６，６、６，６が突設され、各線状抱持片６に、その延長方向に金属線材７が埋入されており、各線状抱持片６の屈曲形態が該金属線材７の形状保持作用によって保持される如くなされている。本実施例においては図１５に示すように、前記実施例１におけると同様、１本の直線状の金属線材７ａ，７ｂの中央部分３６が前記胴部３を貫通した状態とし、該金属線材７ａ，７ｂの両側部分５１，５１を、直線状を呈する線状抱持片６ｃ，６ｃと直線状を呈する線状抱持片６ｄ，６ｄの夫々について、その延長方向に埋入させてなる。そして、夫々の線状抱持片６ｃ，６ｃ、６ｄ，６ｄの先端部分９ｃ，９ｃ、９ｄ，９ｄには前記と同様に外れ止め突部１０ｃ，１０ｃ、１０ｄ，１０ｄが設けられている。
【００５０】
図１６は、かかる構成を有する保持具１を用いて、支柱２７に茎２９を沿わせてなる被抱持部５を前記線状抱持片６ｃ，６ｄ、６ｃ，６ｄを所要に屈曲させて抱持状態とすると共に、前記と同様にして両外れ止め突部１０ｃ，１０ｄ相互、両外れ止め突部１０ｄ，１０ｃを互いに係合状態にして該一対の線状抱持片６ｃ，６ｄの先端部分９ｃ，９ｄ相互、一対の線状抱持片６ｄ，６ｃの先端部分９ｄ，９ｃ相互の外れが防止されている。
【００５１】
図１７は、前記胴部３に、平面視でＸ字状を呈する如く線状抱持片６，６、６，６を設けてなる保持具１を示すものであり、夫々の線状抱持片６に、図１７（Ｂ）に示すように金属線材７が埋入されている。本実施例においては、一直線状を呈する一対の線状抱持片６ｅ，６ｅ、６ｆ，６ｆの夫々に、該胴部３を貫通する１本の直線状の金属線材７ａ，７ｂの夫々の両側部分５１，５１が埋入されている。そして前記と同様にして、夫々の線状抱持片６，６、６，６の先端部分９，９、９，９に外れ止め突部１０が設けられている。
【実施例３】
【００５２】
本発明は、前記実施例で示したものに限定されるものでは決してなく、「特許請求の範囲」の記載内で種々の設計変更が可能であることはいうまでもない。その一例を挙げれば次のようである。
【００５３】
(1) 図１８は、前記人型保持具１ａの他の使用態様を示すものであり、一対の腕部１６，１６の先端部分９ａ，９ａと、一対の脚部１９，１９の先端部分９ｂ，９ｂには、前記と同様に外れ止め突部１０ａ，１０ａ、１０ｂ，１０ｂが設けられている。該人型保持具１ａは、前記頭部１３を該茎２９に当接させ且つ前記一対の腕部１６，１６が該茎２９を抱持した逆様の状態で前記一対の脚部１９，１９がネット５２に取り付いた状態を示している。
【００５４】
(2) 前記外れ止め突部１０の形態は、互いに係合して一対の線状抱持片６，６の先端部分９，９相互の外れを防止できる限り、各種形態に構成され得る。例えば図１９や図２０に示すようなものでもよい。
【００５５】
(3) 本発明に係る保持具１は、前記した植物の茎を支柱等に保持させる用途には限られず、例えば図２１に示すように植物支持環４８としての被抱持部５にぶら下がった態様で使用することもできる。この場合、左右の腕部１６，１６の先端部分９ａ，９ａ相互の外れが前記外れ止め突部１０ａ，１０ａで防止される。又、例えば図２２に示すように、一対の脚部１９，１９がハンガー５３としての被抱持部５を抱持した状態とし（該被抱持部５に巻き付いた状態とし）、該左右の脚部１９，１９の先端部分９ｂ，９ｂ相互の外れを前記外れ止め突部１０ｂ，１０ｂで防止した逆様状態とし、前記左右の腕部１６，１６をＬ字状に屈曲させて構成したＬ字状フック部５５，５５を、ブラシ等の柄５６を掛着させるため等に利用することもできる。
【００５６】
又図２３は、人型保持具１ａの腕部１６を前記ハンガ−５３に掛けた状態にすると共に、左右の脚部１９，１９間で、例えば洗浄スポンジ５６を挾んで保持させた状態を示している。
【００５７】
本発明に係る保持具及び人型保持具１（１ａ）は、その他、浴室やトイレ等においてタオルを保持するためや、電気コ−ド等のコ−ドの束を結束状態に保持するため、開けたカ−テンを束ねて止めるため等、物を結束保持するために用いることもできる。
【００５８】
(4) 前記金属線材７は、前記線状抱持片６が前記被抱持部５を抱持するように所要に屈曲し得るものであれば、丸線状を呈するものには特定されず、横断面が角形の角線状や、幅狭のプレ−ト状に構成されてもよい。
【００５９】
(5) 前記金属線材７は、例えば図２４に示すように、一対の線状抱持片６，６の夫々に独立的に埋入されてもよい。この場合は、前記首部１２と、前記胴部６の全長に亘る部分に金属線材が埋入されていない。
【００６０】
(6) 前記保持具１を構成する保持具本体２は、前記した人型の他、各種の動物や昆虫などの像を模して構成されてもよい。又前記保持具１は、図２５に示すように、前記頭部１３を省略して構成することもできる。
【００６１】
(7) 本発明に係る抱持具は、一対の線状抱持片６，６の所要の屈曲による被抱持部５の抱持によって、各種形態に使用できる。特に保持具本体２を人型に構成する場合は、これが各種ポ−ズをとるように線状抱持片６を所要に屈曲させることにより、被抱持部５に対して装飾的な効果を付与できることなる。
【００６２】
(8) 図２６〜２９は、保持具１、例えば人型保持具１ａとして構成された左右一対の腕部１６，１６としての第１の一対の線状抱持片６ａ，６ａと、左右一対の脚部１９，１９としての第２の一対の線状抱持片６ｂ，６ｂの夫々にその延長方向に埋入されている金属線材７の先端側の部分８の他の構成を示すものであり、該先端側の部分８は、前記外れ止め突部１０ａ，１０ｂにおいて埋入状態とされており、前記線状抱持片６ａ，６ｂの前記延長方向Ｆに対して屈曲する係合屈曲部６５として構成されている。
【００６３】
このように構成した結果、前記両腕部１６，１６の前記先側部分４１，４１を捩ることによって前記両外れ止め突部１０ａ，１０ａを互いに係合させる際や、前記両脚部１９，１９の前記先側部分４６，４６を捩ることによって前記両外れ止め突部１０ｂ，１０ｂを互いに係合させるために、該外れ止め突部１０ａ，１０ｂをその基部６６，６６の周方向に捩る際、該外れ止め突部１０ａ，１０ｂを該基部６６，６６で空回りを生じさせることなく、前記金属線材７を芯線として確実に捩ることができ、所要角度の捩れに伴う前記外れ止め突部１０ａ，１０ａ相互の係合状態や前記外れ止め突部１０ｂ，１０ｂ相互の係合状態を安定的に持続させることができる。
【００６４】
図２６に示されている前記先端側の部分８の形態は、前記腕部１６にあっては、前記延長方向Ｆに対して直角に屈曲する上下の屈曲片からなる係合屈曲部６５として構成されている。又、前記脚部１９にあっては、前記延長方向Ｆに対して上側に直角に屈曲した屈曲片からなる係合屈曲部６５として構成されている。
【００６５】
又図２７に示されている前記先端側の部分８は、前記腕部１６、前記脚部１９共に、前記延長方向Ｆに対して内方側に、直角よりも小さい角度に屈曲した屈曲片からなる係合屈曲部６５として構成されており、特に左右の腕部１６，１６については、該屈曲片の屈曲方向が逆向きとされている。
【００６６】
又図２８に示されている前記先端側の部分８は、前記腕部１６にあっては、前記延長方向に対して屈曲したＣ字状片からなる係合屈曲部６５として構成され、前記脚部１９にあっては、前記延長方向に対して直角に屈曲した屈曲片からなり上端部分６７が下向きの円弧状を呈する係合屈曲部６５として構成されている。
【００６７】
又図２９に示されている前記先端側の部分８は、前記腕部１６にあっては、前記延長方向Ｆに対して上側に直角に屈曲した屈曲片からなる係合屈曲部６５として構成され、前記脚部１９にあっては、前記延長方向Ｆに対して上側に略直角に屈曲され且つくの字状を呈する屈曲片からなる係合屈曲部６５として構成されている。
なお図２７〜２９においては、係合屈曲部６５に関係する符号のみを記載しているがその他の部分の符号は、図２６における場合と同様であるため省略されている。
【００６８】
前記係合屈曲部６５の形態は前記したものに限定されない。前記外れ止め突部１０ａ，１０ｂを、その基部６６，６６での空回りを生じさせることなく確実に捩じることができるように該係合屈曲部６５が前記外れ止め突部１０ａ，１０ｂにおいて埋入状態となされ、前記延長方向Ｆに対して屈曲していればよいのであり、該係合屈曲部６５の屈曲形態は前記外れ止め突部１０の形態に応じて各種に構成され得る。
【００６９】
又、該係合屈曲部６５は、前記腕部１６、前記脚部１９の何れか一方のみに設けられることがある他、図１１〜図１７、図２４〜２５に例示した保持具１においても同様に構成できる。
【符号の説明】
【００７０】
１  保持具
２  保持具本体
３  胴部
５  被抱持部
６  線状抱持片
７  金属線材
８  先端側の部分
９  先端部分
１０  外れ止め突部
１２  首部
１３  頭部
１５  上部
１６  腕部
１７  下部
１９  脚部
２０  中間部分
２５  膨出部
２７  支柱
２９  茎
３２  中央部分
３６  中央部分
４０  付け根部分
４１  先側部分
４６  先側部分
６５  係合屈曲部
【要約】
【課題】植物を損傷することなくこれを支柱やネット等に保持させることができる等、物の保持をソフトに且つ安定的に行うことのできる保持具を提供する。
【解決手段】弾性変形可能の合成樹脂を以て一体成形されてなる保持具本体２を具える。保持具本体２は、胴部３に、被抱持部５を抱持し得る屈曲可能の一対の線状抱持片６，６が設けられている。一対の線状抱持片６，６の夫々には、その延長方向に金属線材７が埋入され、各線状抱持片の屈曲形態が金属線材７の形状保持作用によって保持される。一対の線状抱持片６，６の先端部分には、一対の線状抱持片６，６が被抱持部５を抱持した状態で互いに係合して先端部分相互の外れを防止する外れ止め突部１０，１０が設けられている。
【選択図】図３【図１】
0005955993.tif 000002
【図２】
0005955993.tif 000003
【図３】
0005955993.tif 000004
【図４】
0005955993.tif 000005
【図５】
0005955993.tif 000006
【図６】
0005955993.tif 000007
【図７】
0005955993.tif 000008
【図８】
0005955993.tif 000009
【図９】
0005955993.tif 000010
【図１０】
0005955993.tif 000011
【図１１】
0005955993.tif 000012
【図１２】
0005955993.tif 000013
【図１３】
0005955993.tif 000014
【図１４】
0005955993.tif 000015
【図１５】
0005955993.tif 000016
【図１６】
0005955993.tif 000017
【図１７】
0005955993.tif 000018
【図１８】
0005955993.tif 000019
【図１９】
0005955993.tif 000020
【図２０】
0005955993.tif 000021
【図２１】
0005955993.tif 000022
【図２２】
0005955993.tif 000023
【図２３】
0005955993.tif 000024
【図２４】
0005955993.tif 000025
【図２５】
0005955993.tif 000026
【図２６】
0005955993.tif 000027
【図２７】
0005955993.tif 000028
【図２８】
0005955993.tif 000029
【図２９】
0005955993.tif 000030
【図３０】
0005955993.tif 000031